(57)【特許請求の範囲】
【請求項１】
工場にて行う画面設定の調整内容に応じてＥＥＰＲＯＭに格納された設定データを変更することにより、当該設定データによって規定される機種毎の初期画面設定を調整するテレビジョンにおいて、
上記ＥＥＰＲＯＭに格納された上記設定データを参照してテレビジョンの内部機器を駆動する際の設定値を取得し同設定値を使用して内部機器を制御するＣＰＵと、
工場内で放送される複数の搬送周波数を含むＲＦ信号であって、当該搬送周波数毎に別個の機種に対応した設定データがその垂直帰線期間中に重畳されたＲＦ信号を受信するアンテナと、
同アンテナを介して受信するＲＦ信号の搬送周波数であって、テレビジョンの機種に対応した設定データが重畳された搬送周波数を選択するチューナと、
同チューナで受信したＲＦ信号を中間周波信号に変換するとともに同中間周波信号中の上記垂直帰線期間に重畳された設定データを抽出するデータスライサと、
同データスライサによって抽出された設定データを上記ＥＥＰＲＯＭに書き込む設定データ書込手段と、
同設定データがＥＥＰＲＯＭに対して正常に書き込まれたときにテレビジョンの画面上で書込完了を示す旨をＯＳＤ表示させるＯＳＤ表示制御手段と、
上記ＣＰＵによって上記抽出された設定データによる内部機器の駆動を実行させつつテレビジョンの画面に調整用画面を表示させる調整用画面表示手段と、
同調整用画面を表示させた状態で当該画面の設定の変更を受け付けるとともに設定を変更する画面設定変更手段と、
同画面設定変更手段による画面設定の変更が完了した後の設定に対応した設定データを生成する変更設定データ生成手段と、
同変更設定データ生成手段で生成した設定データで上記ＥＥＰＲＯＭに書き込まれた設定データを更新する設定データ更新手段とを具備することを特徴とするテレビジョン。
【請求項２】
各種設定の調整内容に応じて不揮発性メモリに格納された設定データを変更することにより、当該設定データによって規定される機種毎の初期設定を調整するテレビジョンにおいて、
上記設定データが重畳されたＲＦ信号であって複数のチャンネルに対応した搬送周波数の信号を含み、異なる機種の設定データは異なる搬送周波数の信号に重畳されているＲＦ信号を取得して当該重畳された設定データを抽出する設定データ抽出手段と、
同抽出した設定データを上記不揮発性メモリに書き込む設定データ書込手段と、
同不揮発性メモリに格納された上記設定データを読み出して上記テレビジョンの各内部機器を当該設定データに記述された設定で駆動する内部機器駆動手段とを具備することを特徴とするテレビジョン。
【請求項３】
上記設定データは、少なくともテレビジョンが備える表示装置上の画面設定と画像色設定と仕向地別設定と音声設定とプログラム情報とのいずれかまたは組み合わせのデータであることを特徴とする上記請求項２に記載のテレビジョン。
【請求項４】
上記設定データ抽出手段は、上記ＲＦ信号の垂直帰線期間に重畳された上記設定データを抽出することを特徴とする上記請求項２または請求項３のいずれかに記載のテレビジョン。
【請求項５】
上記設定データ抽出手段は、所定のタイミングで上記ＲＦ信号から信号をサンプリングするデータスライサで上記設定データを抽出することを特徴とする上記請求項２〜請求項４のいずれかに記載のテレビジョン。
【請求項６】
上記設定データ抽出手段は、アンテナと有線ＲＦ端子とのいずれかまたは組み合わせを介して上記ＲＦ信号を取得することを特徴とする上記請求項２〜請求項５のいずれかに記載のテレビジョン。
【請求項７】
上記設定データ抽出手段は、所定の操作入力によって同調周波数を変更しつつＲＦ信号を受信可能であり、当該同調周波数の変更によって異なる機種の設定データを抽出することを特徴とする上記請求項７に記載のテレビジョン。
【請求項８】
上記設定データ書込手段によって不揮発性メモリに対して正常に設定データを書き込むことができたときにテレビジョンの画面上で書込完了を示す旨をＯＳＤ表示させるＯＳＤ表示制御手段を具備することを特徴とする上記請求項２〜請求項７のいずれかに記載のテレビジョン。
【請求項９】
上記設定データ抽出手段を制御して同調させる搬送周波数をスキャンする周波数スキャン手段を備え、上記不揮発性メモリには機種を特定可能なデータが予め書き込まれ、上記設定データには機種を示すデータが含まれており、上記設定データ書込手段は上記周波数スキャン手段によってスキャンを行った結果抽出された設定データを分析し、上記機種を示すデータから特定される機種と上記不揮発性メモリに書き込まれたデータから特定される機種とが合致したときにその設定データを上記不揮発性メモリに書き込むことを特徴とする上記請求項２〜請求項８のいずれかに記載のテレビジョン。
【請求項１０】
不揮発性メモリに格納された上記設定データを読み出して各内部機器を当該設定データに記述された設定で駆動するテレビジョンであって、各種設定の調整内容に応じて不揮発性メモリに格納された設定データを変更することにより、当該設定データによって規定される機種毎の初期設定を調整するテレビジョンに対して上記設定データを登録するテレビジョンの設定データ登録方法において、
上記設定データが重畳されたＲＦ信号であって複数のチャンネルに対応した搬送周波数の信号を含み、異なる機種の設定データは異なる搬送周波数の信号に重畳されているＲＦ信号を取得して当該重畳された設定データを抽出する設定データ抽出工程と、
同抽出した設定データを上記不揮発性メモリに書き込む設定データ書込工程とを具備することを特徴とするテレビジョンの設定データ登録方法。
【発明の詳細な説明】
【０００１】
【発明の属する技術分野】
本発明は、テレビジョンおよびテレビジョンの設定データ登録方法に関し、特に工場において初期設定調整を行うテレビジョンおよびテレビジョンの設定データ登録方法に関する。
【０００２】
【従来の技術】
従来、この種のテレビジョンとして、特開平９−１８８９９号公報に開示された技術が知られている。同技術においてはテレビジョンに調整検査用画像を表示し、画質調整検査装置によって画質を調整するに当たり、画質調整に必要な調整項目をテレビジョンの機種毎にデータベース化したデータファイルを使用する。この結果、テレビジョンの機種毎に調整用のソフトウェアを変更する手間を省略することができる。
【０００３】
【発明が解決しようとする課題】
上述した従来のテレビジョンにおいては、画質調整の前にテレビジョンが備えるＥＥＰＲＯＭに上記データファイルを予め書き込んでおく必要があり、製品出荷後にＥＥＰＲＯＭへのアクセスを利用者が容易に行えないようにするため、通常はリアキャビネットをはずした状態でテレビジョン内部のボードに専用のコネクタを取り付け、当該コネクタを介してデータファイルを書き込む必要がある。画質調整は通常工場内のラインで大量のテレビジョンについて行うものであり、大量のテレビジョンについてコネクタの取り付け作業を行うのは非常に煩雑である。
本発明は、上記課題にかんがみてなされたもので、コネクタの脱着を行うことなくテレビジョン調整前に設定データを登録することが可能なテレビジョンおよびテレビジョンの設定データ登録方法を提供することを目的とする。
【０００４】
【課題を解決するための手段】
上記目的を達成するため、請求項１にかかる発明は、工場にて行う画面設定の調整内容に応じてＥＥＰＲＯＭに格納された設定データを変更することにより、当該設定データによって規定される機種毎の初期画面設定を調整するテレビジョンにおいて、上記ＥＥＰＲＯＭに格納された上記設定データを参照してテレビジョンの内部機器を駆動する際の設定値を取得し同設定値を使用して内部機器を制御するＣＰＵと、工場内で放送される複数の搬送周波数を含むＲＦ信号であって、当該搬送周波数毎に別個の機種に対応した設定データがその垂直帰線期間中に重畳されたＲＦ信号を受信するアンテナと、同アンテナを介して受信するＲＦ信号の搬送周波数であって、テレビジョンの機種に対応した設定データが重畳された搬送周波数を選択するチューナと、同チューナで受信したＲＦ信号を中間周波信号に変換するとともに同中間周波信号中の上記垂直帰線期間に重畳された設定データを抽出するデータスライサと、同データスライサによって抽出された設定データを上記ＥＥＰＲＯＭに書き込む設定データ書込手段と、同設定データがＥＥＰＲＯＭに対して正常に書き込まれたときにテレビジョンの画面上で書込完了を示す旨をＯＳＤ表示させるＯＳＤ表示制御手段と、上記ＣＰＵによって上記抽出された設定データによる内部機器の駆動を実行させつつテレビジョンの画面に調整用画面を表示させる調整用画面表示手段と、同調整用画面を表示させた状態で当該画面の設定の変更を受け付けるとともに設定を変更する画面設定変更手段と、同画面設定変更手段による画面設定の変更が完了した後の設定に対応した設定データを生成する変更設定データ生成手段と、同変更設定データ生成手段で生成した設定データで上記ＥＥＰＲＯＭに書き込まれた設定データを更新する設定データ更新手段とを具備する構成としてある。
【０００５】
上記のように構成した請求項１にかかる発明においては、ＥＥＰＲＯＭに格納された設定データを変更すると初期画面設定が変更されるようになっており、工場における画面設定の調整時に当該設定データを変更することによって初期画面調整を行うテレビジョンにて調整前の設定データ書き込みの煩雑さを低減するために、以下の構成を採用した。すなわち、搬送周波数毎に別個の機種に対応した設定データが垂直基線期間中に重畳されたＲＦ信号を工場内で放送し、このＲＦ信号から設定データをデコードして設定データとしてＥＥＰＲＯＭに書き込む構成とした。
【０００６】
具体的には、アンテナによって上記ＲＦ信号を受信してチューナによって搬送周波数を選択し、選択した搬送周波数の信号を中間周波信号に変換するとともにデータスライサで上記設定データを抽出する。この抽出された設定データは設定データ書込手段によってＥＥＰＲＯＭに書き込まれる。従って、テレビジョンに対してコネクタ等を直接的に取り付けることなく設定データをＥＥＰＲＯＭに書き込むことができる。また、ＯＳＤ表示制御手段は同設定データがＥＥＰＲＯＭに対して正常に書き込まれたときにテレビジョンの画面上で書込完了を示す旨をＯＳＤ表示させる。従って、調整者は設定データが正常に書き込まれた否かをテレビジョンの画面上で容易に認識することができる。
【０００７】
ＣＰＵは当該設定データを参照しその設定値でテレビジョンの内部機器を駆動することができ、調整用画面表示手段は当該設定にて調整用画面を表示する。画面設定変更手段においては調整用画面を表示させた状態で当該画面の設定の変更を受け付けるとともに設定を変更することができ、変更設定データ生成手段においては画面設定変更手段による画面設定の変更が完了した後の設定に対応した設定データを生成することができる。従って、調整用画面を視認しつつ画面設定の変更が可能であり、この画面設定の変更によって初期設定の調整を行うことができる。初期設定の調整が完了すると、変更設定データ生成手段が画面設定の変更が完了した後の設定に対応した設定データを生成し、設定データ更新手段が当該設定データで上記ＥＥＰＲＯＭに書き込まれた設定データを更新する。従って、この更新後には調整後の初期設定で画面が表示されるようになる。
【０００８】
以上の構成によって、コネクタ等の接続をすることなく設定データを登録することが可能になるが、さらに、本発明においては搬送周波数の異なるＲＦ信号に異なる機種用の設定データを重畳しているので、工場のライン上のいかなる場所においていかなる機種についても設定データの登録を行うことができる。従って、設定データの登録に関しては、機種変更によって工場のラインの設備を変更する必要がなく非常に容易に機種変更に対応することができる。
【０００９】
また、請求項２にかかる発明は、各種設定の調整内容に応じて不揮発性メモリに格納された設定データを変更することにより、当該設定データによって規定される機種毎の初期設定を調整するテレビジョンにおいて、上記設定データが重畳されたＲＦ信号であって複数のチャンネルに対応した搬送周波数の信号を含み、異なる機種の設定データは異なる搬送周波数の信号に重畳されているＲＦ信号を取得して当該重畳された設定データを抽出する設定データ抽出手段と、同抽出した設定データを上記不揮発性メモリに書き込む設定データ書込手段と、同不揮発性メモリに格納された上記設定データを読み出して上記テレビジョンの各内部機器を当該設定データに記述された設定で駆動する内部機器駆動手段とを具備する構成としてある。
【００１０】
上記のように構成した請求項２にかかる発明においては、設定データ抽出手段によって設定データが重畳されたＲＦ信号を取得して当該重畳された設定データを抽出し、設定データ書込手段によって抽出した設定データを上記不揮発性メモリに書き込む。内部機器駆動手段は同不揮発性メモリに格納された上記設定データを読み出して上記テレビジョンの各内部機器を当該設定データに記述された設定で駆動する。従って、各種設定の調整内容に応じて不揮発性メモリに格納された設定データを変更することにより、当該設定データによって規定される機種毎の初期設定を調整するテレビジョンにおいて、コネクタ等の接続をすることなく不揮発性メモリ内に設定データを格納し、調整を開始することができる。
【００１１】
テレビジョンにおいて初期設定を行うべき対象は種々のものが存在し、その構成例として請求項３にかかる発明では、上記設定データは、少なくともテレビジョンが備える表示装置上の画面設定と画像色設定と仕向地別設定と音声設定とプログラム情報とのいずれかまたは組み合わせのデータである構成としてある。すなわち、工場内にて初期設定の調整を行うべき調整項目としては種々の項目が存在し、これらの設定を行う設定データを不揮発性メモリに書き込むことによって種々の初期設定とすることができる。
【００１２】
その具体例として設定データに表示装置上の画面設定データを記述すれば画面設定のデフォルト値を与えることができる。画面設定の具体例としては、例えば、画面の垂直サイズや水平サイズ，画面コーナーの位置等の設定が挙げられる。設定データに表示装置上の画像色設定データを記述すれば画面上に表示する色のデフォルト値を与えることができる。画像色設定の具体例としては、例えば、ホワイトバランスの調整値，各色色温度の調整値，黒レベル等の設定が挙げられる。
【００１３】
設定データに仕向地別設定データを記述すれば仕向地別に異なる設定のデフォルト値を与えることができる。仕向地別設定の具体例としては、例えば、チャンネルプリセットデータ等が挙げられる。設定データに音声設定データを記述すれば音声設定のデフォルト値を与えることができる。音声設定の具体例としては、例えば、音量の初期値等が挙げられる。設定データにプログラム情報データを記述すれば不揮発性メモリに格納すべきプログラムやプログラムで使用するパラメータ等を取得することができる。ここで、各設定データは上述の各設定として厳密に分類されるとは限らない。例えば、ホワイトバランスの調整値は画像色設定であるとともに仕向地別設定にもなり得る。
【００１４】
上記設定データ抽出手段においてはＲＦ信号に重畳された設定データを抽出することができればよく、その構成例として請求項４にかかる発明では、上記設定データ抽出手段は、上記ＲＦ信号の垂直帰線期間に重畳された上記設定データを抽出する構成としてある。すなわち、ＲＦ信号の垂直帰線期間には種々の情報を重畳することができ、当該垂直帰線期間に設定データを重畳してＲＦ信号を出力した環境において本発明のテレビジョンを使用する際に、重畳された設定データを抽出することができる。
【００１５】
さらに、請求項５にかかる発明では、上記設定データ抽出手段は、所定のタイミングで上記ＲＦ信号から信号をサンプリングするデータスライサで上記設定データを抽出する構成としてある。すなわち、データスライサによればＲＦ信号に重畳された信号を容易に抽出可能である。むろん、ここではＲＦ信号を一旦中間周波信号に変換した後に当該中間周波信号からデータをサンプリングしても良い。また、垂直同期信号に同期させたサンプリングによって設定データを抽出可能に構成すれば、通常のテレビジョンが備えるデータスライサを本発明にかかる設定データの抽出に流用することができて好適である。
【００１６】
さらに、設定データが重畳されたＲＦ信号は種々の態様で提供することができ、その構成例として請求項６にかかる発明では、上記設定データ抽出手段は、アンテナと有線ＲＦ端子とのいずれかまたは組み合わせを介して上記ＲＦ信号を取得する構成としてある。すなわち、アンテナを介してＲＦ信号を受信する構成によれば、工場等によって初期設定の調整を行うにあたりコネクタ等をテレビジョンに接続することなく設定データを書き込むことができる。
【００１７】
一方、有線ＲＦ端子によってＲＦ信号を取得する構成では、ＲＦ信号ケーブルを当該有線ＲＦ端子に接続する必要があるものの、ビデオデッキが出力するＲＦ信号を本発明にかかるテレビジョンに取り込んで設定データを書き込むことができる。従って、工場からテレビジョンを出荷した後に、一般家庭等においてビデオデッキをテレビジョンに接続し、設定データを重畳したＲＦ信号が記録されたビデオテープを再生することによって設定データを書き込むことができる。
【００１８】
さらに、本発明におけるＲＦ信号は、複数のチャンネルに対応した搬送周波数の信号を含み、異なる機種の設定データは異なる搬送周波数の信号に重畳されている構成としてある。すなわち、搬送周波数が異なれば重畳されている設定データが異なり、各搬送周波数には別個の機種用の設定データが重畳されている。従って、設定データを不揮発性メモリに格納するにあたりテレビジョンにおいて受信するＲＦ信号の搬送周波数を変更するだけで取得する設定データを変更することができる。工場内ではいずれの位置においても複数機種用の設定データを取得することができ、機種の変更に伴ってライン上の設備を変更する必要がない。
【００１９】
さらに、請求項７にかかる発明では、上記設定データ抽出手段は、所定の操作入力によって同調周波数を変更しつつＲＦ信号を受信可能であり、当該同調周波数の変更によって異なる機種の設定データを抽出する構成としてある。すなわち、テレビジョンのチューナにおいて受信動作を行わせるチャンネルを変更するのみで機種別に異なる設定データを取得することができる。
【００２０】
さらに、本発明をより便利にするために好適な構成例として請求項８にかかる発明では、上記設定データ書込手段によって不揮発性メモリに対して正常に設定データを書き込むことができたときにテレビジョンの画面上で書込完了を示す旨をＯＳＤ表示させるＯＳＤ表示制御手段を具備する構成としてある。すなわち、設定データ正常に書き込まれたときにその旨がＯＳＤ表示によって調整者に通知され、調整者は容易に設定データの書込完了を認知することができる。むろん、書込が正常に終了しなかった場合に書込失敗を示すＯＳＤ表示を行っても良い。
【００２１】
さらに、請求項９にかかる発明は、上記設定データ抽出手段を制御して同調させる搬送周波数をスキャンする周波数スキャン手段を備え、上記不揮発性メモリには機種を特定可能なデータが予め書き込まれ、上記設定データには機種を示すデータが含まれており、上記設定データ書込手段は上記周波数スキャン手段によってスキャンを行った結果抽出された設定データを分析し、上記機種を示すデータから特定される機種と上記不揮発性メモリに書き込まれたデータから特定される機種とが合致したときにその設定データを上記不揮発性メモリに書き込む構成としてある。
【００２２】
すなわち、予め不揮発性メモリに対して機種を特定可能なデータを書き込んでおき、ＲＦ信号に対して機種を特定可能なデータを含む設定データを重畳させておけば、チャンネルオートサーチによってテレビジョンの機種に対応したチャンネルを自動で検出することができる。この結果、調整者は機種に対応したチャンネル番号を全く知らなくても設定データを登録することができる。
【００２３】
このように、ＲＦ信号に重畳された設定データを取得する手法は必ずしも実体のある装置に限られる必要はなく、その方法としても機能することは容易に理解できる。
【００２４】
このため、請求項１０にかかる発明は、不揮発性メモリに格納された上記設定データを読み出して各内部機器を当該設定データに記述された設定で駆動するテレビジョンであって、各種設定の調整内容に応じて不揮発性メモリに格納された設定データを変更することにより、当該設定データによって規定される機種毎の初期設定を調整するテレビジョンに対して上記設定データを登録するテレビジョンの設定データ登録方法において、上記設定データが重畳されたＲＦ信号を取得して当該重畳された設定データを抽出する設定データ抽出工程と、同抽出した設定データを上記不揮発性メモリに書き込む設定データ書込工程とを具備する構成としてある。すなわち、必ずしも実体のある装置に限らず、その方法としても有効であることに相違はない。むろん、請求項２〜請求項９に対応した方法を構成することも可能である。
【００２５】
【発明の効果】
以上説明したように請求項１，請求項２，請求項１０にかかる発明によれば、コネクタ等の接続をすることなく不揮発性メモリ内に設定データを格納し、調整を開始することが可能なテレビジョンおよびテレビジョンの設定データ登録方法を提供することができる。さらに、受信するＲＦ信号の搬送周波数を変更するだけで取得する設定データを変更することができる。
また、請求項３にかかる発明によれば、種々の初期設定に関して本発明を適用することができる。
【００２６】
さらに、請求項４にかかる発明によれば、ＲＦ信号に対して容易に設定データを重畳させることが可能な構成において容易に設定データを抽出することができる。
さらに、請求項５にかかる発明によれば、通常のテレビジョンが備えるデータスライサを流用してＲＦ信号に重畳された信号を容易に抽出可能である。
さらに、請求項６にかかる発明によれば、工場等によって初期設定の調整を行うにあたりコネクタ等をテレビジョンに接続することなく設定データを書き込むことができ、また、工場からテレビジョンを出荷した後にビデオテープを再生することによって容易に設定データを書き込むことができる。
【００２７】
さらに、請求項７にかかる発明によれば、テレビジョンのチューナにおいて受信動作を行わせるチャンネルを変更するのみで機種別に異なる設定データを取得することができる。
さらに、請求項８にかかる発明によれば、調整者は容易に設定データの書込完了を認知することができる。
さらに、請求項９にかかる発明によれば、チャンネルオートサーチによってテレビジョンの機種に対応したチャンネルを自動で検出することができる。
【００２８】
【発明の実施の形態】
ここでは、下記の順序に従って本発明の実施の形態について説明する。
（１）本発明の概要：
（２）テレビジョンの構成：
（３）ＲＦ信号の態様：
（４）設定データ登録動作：
（５）他の実施形態：
【００２９】
（１）本発明の概要：
図１は、本発明にかかるテレビジョンを出荷前に調整する様子を示す概略図である。テレビジョン１００，１０１は、キャビネットを取り付けた状態で工場内のライン上を搬送されており、工場内の調整作業員はテレビジョン１００，１０１において調整用画面を表示させた状態で図示しない計測器を使用して調整を行う。工場においては、アンテナからＲＦ信号が送出されており、各テレビジョン１００，１０１においては当該ＲＦ信号を受信することができる。
【００３０】
当該ＲＦ信号は複数のチャンネル周波数（ｃｈ１〜ｎ）に対応した複数の搬送周波数にて送出されており、各テレビジョン１００，１０１ではチューナによって所望のチャンネル周波数に同調させつつ信号を受信可能である。このＲＦ信号の垂直帰線期間にはテレビジョンのＥＥＰＲＯＭに書き込むべき設定データが重畳されている。また、この設定データは搬送周波数毎に別個の機種に対応した設定データが重畳されており、テレビジョン１００，１０１ではチャンネルの選択によってその機種に対応した設定データが重畳されたＲＦ信号にチューニングさせることにより、機種に対応した設定データを取得することができる。
【００３１】
図１に示す例ではチャンネルａ（ａはチャンネル番号１〜ｎのいずれか）の垂直帰線期間にテレビジョン１００用の設定データが重畳されており、チャンネルｂ（ｂはチャンネル番号１〜ｎのいずれか）の垂直帰線期間にテレビジョン１０１用の設定データが重畳されている。従って、工場内の調整作業員がテレビジョン１００を図示しないリモコンで操作し、チャンネルａを選局することによってテレビジョン１００に適切な設定データが書き込まれ、テレビジョン１０１を図示しないリモコンで操作し、チャンネルｂを選局することによってテレビジョン１０１に適切な設定データが書き込まれる。
【００３２】
（２）テレビジョンの構成：
次に、本発明を実現するためのテレビジョンの構成を説明する。図２は本発明の実施形態にかかるテレビジョン１００，１０１の構成を概略ブロック図により示しており、本実施形態において、チューナ１０にはアンテナ１１が接続されており、同チューナ１０は所定の搬送周波数帯域に対応して選局動作を実行し、アンテナ１１を介して所望の搬送周波数のＲＦ信号を受信するとともに、受信した信号から所要の信号を選択して高周波増幅し、中間周波信号に変換して出力する。
【００３３】
本実施形態におけるチューナ１０は、いわゆるＰＬＬ方式の選局機構を採用しており、後述するマイコン４０から入力される所定の周波数データに基づいて局部発振周波数を直接的に制御することにより、受信周波数を制御可能となっている。同チューナ１０によって選局動作が行われ、出力された中間周波信号はクロマＩＣ２０に入力される。このクロマＩＣ２０は、概略、図３に示すように構成されており、各種の信号処理を行っている。同図において、クロマＩＣ２０に入力された中間周波信号は信号系回路２１に入力され、図示しないＡＧＣ回路によって受信映像信号の強弱に応じたフィードバック制御を受けるなどして適正な利得で中間周波増幅される。中間周波増幅がなされた後には映像検波され、その検波出力に基づいて所定の色復調処理が施されてＲＧＢ信号が出力される。
【００３４】
また、音声中間周波信号は上記の中間周波増幅の過程において第二音声中間周波信号として取り出され、ＦＭ検波を経てＡＵＤＩＯ信号が出力される。信号系回路２１から出力されたＲＧＢ信号は外部のカソードアンプ３１に出力され、このカソードアンプ３１にて適宜増幅されてＣＲＴ３２に供給される。一方、上記ＡＵＤＩＯ信号についても同様に外部のオーディオアンプ３３に出力され、このオーディオアンプ３３にて適宜増幅されてスピーカ３４に供給される。
【００３５】
さらに、信号系回路２１においては、上記検波出力から水平および垂直同期信号（ＳＹＮＣ）を分離してクロマＩＣ２０内の同期系回路２２および後述するマイコン４０に供給している。この同期系回路２２では、クロマＩＣ２０内に配設された発振回路から上記水平および垂直同期信号に対応した発振出力が入力されており、通常、それぞれの発振出力と信号系回路２１からの水平および垂直同期信号とでＰＬＬループを構成している。
【００３６】
このＰＬＬループによって対応する発振出力と位相がロックした信号は水平・垂直ドライブ信号として外部の偏向回路３５に出力され、この偏向回路３５によってＣＲＴ３２のビームが水平および垂直方向にドライブされる。Ａ／Ｄ変換回路２３には上記中間周波信号が分岐が入力されており、同入力中周波信号をデジタルデータに変換して出力可能になっている。同出力デジタルデータは後述するＩＩＣバスに対して出力可能になっており、後述するマイコン４０の制御によって中間周波信号に重畳された設定データが取得される。
【００３７】
チューナ１０の選局や設定データの書き込みなど、テレビジョンセット全体の制御はマイコン４０によって行われている。このマイコン４０と上述したチューナ１０やクロマＩＣ２０およびＥＥＰＲＯＭ６０は所定のＩＩＣバスに接続されており、このＩＩＣバスを介して相互に通信可能となっている。例えば、チューナ１０の選局制御についてみれば、リモコン５０にて所望のチャンネルを選局すべく操作すると、同リモコン５０から対応する赤外線リモコン信号が送信される。マイコン４０は、図示しない赤外線受光部を介して同赤外線リモコン信号を受信して選局しようとするチャンネルを検知し、ＩＩＣバスを介して対応する周波数データをチューナ１０に送出する。すると、チューナ１０は同周波数データに基づくチャンネル周波数に同調することになる。
【００３８】
また、マイコン４０は設定データの登録動作も担っている。すなわち、マイコン４０は上記クロマＩＣ２０から入力されるＳＹＮＣの周期に同期させて、上記Ａ／Ｄ変換回路２３から上記デジタルデータをサンプリングすることが可能である。そして、マイコン４０はこのサンプリングされたデジタルデータから上記中間周波信号に重畳された設定データを取得する。従って、このＡ／Ｄ変換回路２３とマイコン４０とがデータスライサを構成している。ＥＥＰＲＯＭ６０には上記設定データを書き込むことが可能であり、マイコン４０は上記取得した設定データをＥＥＰＲＯＭ６０に書き込む。
【００３９】
さらに、マイコン４０は上記ＥＥＰＲＯＭ６０に書き込まれた設定データに従って上記クロマＩＣ２０における黒レベルの設定や画面サイズ等の設定を行い、その設定によって偏向回路３５やカソードアンプ３１等の内部機器を駆動する。また、上記ＲＦ信号にはテレビジョン１００，１０１の調整用画面の映像信号が重畳されており、上記設定データに従って内部機器を駆動すると、テレビジョン１００，１０１には当該調整用画面が上記ＣＲＴ３２上に表示される。従って、工場における調整作業員はこの調整用画面を表示させた状態で上記図示しない計測器を使用することにより、設定の調整を行うことができる。
【００４０】
すなわち、本実施形態においては、リモコン５０上に配設された図示しない操作ボタンにて通常は操作されないボタンの組み合わせで押し込み操作を行うと、テレビジョン１００，１０１の初期設定を調整する工場モードを実行しあるいは終了するようになっている。マイコン４０は当該リモコン５０による押し込み操作を受信すると、ＥＥＰＲＯＭ６０に予め格納されたプログラムを実行し、初期設定を調整する工場モードを実行する。工場モードにおいては、リモコン５０による選局指示を通常どおり受け付け、チャンネルを変更可能であり、選局されたＲＦ信号にて送信される上記映像信号に基づいてＣＲＴ３２上に調整用画面を表示する。
【００４１】
この工場モードにおいて、調整作業員が上記計測器を使用して上記調整用画面のホワイトバランスや色温度を計測しつつ、当該テレビジョンに備えられた調整用つまみあるいはリモコン５０上のボタンを押し込み操作するように、上記調整用画面の表示状態や音量、画面位置を変更する。この変更内容はマイコン４０に送出されており、マイコン４０はこの変更内容を逐次データ化し調整済の設定データとする。そして、工場モードをリモコン５０のボタンにて再び上記押し込み操作を行うと、マイコン４０は上記調整済の設定データにてＥＥＰＲＯＭ６０を更新する。従って、これ以後テレビジョン１００，１０１は調整済の設定データにて駆動されるようになる。
【００４２】
このように、本発明においては、上記ＲＦ信号に重畳された設定データをテレビジョン１００，１０１のＥＥＰＲＯＭ６０に書き込むことができるので、テレビジョン１００，１０１の組み上げ前にＥＥＰＲＯＭ６０に予め設定データを書き込んでおく必要がない。さらに、ＥＥＰＲＯＭ６０に設定データを書き込むに当たりコネクタ等を接続する必要がないので、コネクタ等の接続作業を省略することができる。また、上記図１に示すようにテレビジョン１００，１０１においてキャビネットを組み付けた状態でライン上を搬送しつつ初期設定の調整を行うことができる。さらに、ＲＦ信号が受信可能であれば工場内のいずれの位置においても設定データの登録を行うことができるので、ライン上で搬送するテレビジョンの機種を非常に容易に変更することができる。
【００４３】
（３）ＲＦ信号の態様：
以上のように、本発明においてはＲＦ信号に機種別の設定データが重畳されている必要があり、以下、ＲＦ信号の態様を詳説する。図４は、上記工場において送出されているＲＦ信号の模式図をチャンネル別に示した図である。同図においてはＲＦ信号の包絡線、すなわち、搬送信号を省略して示しており、ＲＦ信号は映像信号が重畳された期間と同期パルスおよび文字放送等種々のデータを重畳可能な垂直帰線期間とから構成されている。
【００４４】
本実施形態においては、この垂直帰線期間中の２０Ｈに該当する期間にデータが重畳される。図４に示す例では、チャンネル番号１（ｃｈ１）のＲＦ信号において垂直帰線期間中の２０Ｈにテレビジョンの機種Ａ用の設定データが重畳されており、チャンネル番号ｎ（ｃｈｎ）のＲＦ信号において垂直帰線期間中の２０Ｈにテレビジョンの機種Ｎ用の設定データが重畳されている。
【００４５】
この垂直帰線期間には上述のように種々のデータを重畳可能であり、現在出荷されている多くのテレビジョンが当該データをサンプリングするデータスライサを備えている。従って、本発明においてこの垂直帰線期間中に設定データを重畳することにより、多くのテレビジョンが元々備えているデータスライサを流用して設定データを取得することが可能になる。
【００４６】
（４）設定データ登録動作：
次に、本実施形態において設定データを工場の調整前にテレビジョン１００，１０１のＥＥＰＲＯＭ６０に登録する作業の流れを説明する。図５は、工場での作業時にマイコン４０が実行する処理のうち設定データの書き込みに関する処理を示すフローチャートである。調整作業員は工場内でテレビジョン１００またはテレビジョン１０１が搬送されているラインにおいてテレビジョンの前に立ち、リモコン５０によって上記通常は操作されないボタンの組み合わせで押し込み操作を行う。
【００４７】
マイコン４０は当該リモコン５０の操作に基づくリモコン信号を受け付け（ステップＳ１００）、このリモコン信号が上記ボタンの組み合わせによる信号であるか否か、すなわち、操作内容が工場モードの開始を指示したものであるか否かを判別する（ステップＳ１１０）。同ステップＳ１１０にてリモコン操作が工場モードの開始を指示したものであると判別されたときには、ステップＳ１２０にて同リモコン５０による選局操作を受け付ける。
【００４８】
調整作業員は、さらにリモコン５０を操作し、テレビジョンにて同調を行うチャンネルを選局する。図１に示す例において、調整作業員はテレビジョン１００の調整に際してチャンネルａを選局し、テレビジョン１０１の調整に際してチャンネルｂを選局する。マイコン４０は当該リモコン５０の操作に基づくリモコン信号により選局動作を受け付け、上記チューナ１０の局部発振周波数を制御してチューニングを行う（ステップＳ１３０）。この結果、チューナ１０では調整作業員が選局したチャンネル周波数のＲＦ信号に同調する。
【００４９】
マイコン４０は、さらに上記クロマＩＣの同期系回路２２から出力されるＳＹＮＣの周期に同期させつつＡ／Ｄ変換回路２３から出力されるデータをサンプリングし、上記垂直帰線期間の２０Ｈに重畳された設定データをスライスする（ステップＳ１４０）。そして、ＩＩＣバスを介して上記ＥＥＰＲＯＭ６０にアクセスし、当該スライスした設定データをＥＥＰＲＯＭ６０に書き込む（ステップＳ１５０）。この結果、マイコン４０はＥＥＰＲＯＭ６０にアクセスして当該設定データを参照することにより各内部機器の設定を把握することができ、当該設定で内部機器が駆動されることによりクロマＩＣから上記ＡＵＤＩＯ信号やＲＧＢ信号が出力されてＣＲＴ３２上に調整用画面が表示される。従って、これ以後調整作業員は上記リモコン５０や調整用つまみを使用して初期設定の調整を行うことができる。
【００５０】
（５）他の実施形態：
本発明は、上述の実施形態の他にも種々の形態で実現することができる。本発明においては、設定データを重畳させたＲＦ信号を受信することができれば、当該ＲＦ信号から設定データを抽出してＥＥＰＲＯＭに書き込むことができ、上述のように工場内にＲＦ信号から設定データを取得する構成は工場モードにおける初期設定の調整時に便利であるものの、この態様に限定されるわけではない。例えば、ＲＦ信号端子からＲＦ信号を取得して設定データを抽出することもできる。
【００５１】
この場合、テレビジョンにおいてＲＦ信号端子を設けておけば、当該ＲＦ信号端子に接続したＲＦ信号ケーブルを介して設定データが重畳されたＲＦ信号を取得することができる。このＲＦ信号を上記チューナに入力するように構成すれば、他の構成は上記実施形態と同様の構成によって本発明を実現することができる。このような態様においては、ビデオデッキのＲＦ信号出力をテレビジョンのＲＦ信号端子に入力し、当該ビデオデッキにて設定データが重畳されたＲＦ信号を記録したビデオテープを再生することによってＥＥＰＲＯＭに設定データを書き込むことができるので、テレビジョンを出荷した後に一般家庭において設定データを書き換えることができる。かかる構成は、一般家庭内で作業するサービスマンに特に便利である。
【００５２】
また、上記構成において設定データがＥＥＰＲＯＭ６０に書き込まれたことが調整作業員等に明示的に示されれば便利である。そこで、上記図５に示すフローに対して図６に示す処理を追加する構成を採用することもできる。この構成は、上記テレビジョン１００，１０１と同様のハードウェア構成によって実現可能であり、マイコン４０によって上記図６に示す追加処理を実行し、さらにマイコン４０から上記クロマＩＣに対してＯＳＤ表示用のデータを出力するように構成することによって実現される。
【００５３】
図６に示す処理は、上記図５に示すステップＳ１５０（図６に再掲）の後に実行される処理であり、同ステップＳ１５０においてＥＥＰＲＯＭ６０へ設定データ書き込み処理を実施した後に当該書き込みが正常に成功したか否かを判別する（ステップＳ１６０）。同ステップＳ１６０にてＥＥＰＲＯＭ６０への書き込みが正常に成功したと判別されたとき、マイコン４０は上記ＣＲＴ３２上に”ＯＫ”とＯＳＤ表示を行わせるためのＯＳＤ表示データを出力する（ステップＳ１７０）。この結果、クロマＩＣ２０では当該”ＯＫ”を表示させるための上記ＲＧＢ信号等を出力し、ＣＲＴ３２に”ＯＫ”と表示させる。従って、調整作業員は設定データの書き込みが正常に成功したことを即座に、かつ容易に把握することができる。
【００５４】
ステップＳ１６０にてＥＥＰＲＯＭ６０への書き込みが正常に成功したと判別されないときに、マイコン４０は上記ＣＲＴ３２上に”ＮＧ”とＯＳＤ表示を行わせるためのＯＳＤ表示データを出力する（ステップＳ１８０）。この結果、クロマＩＣ２０では当該”ＮＧ”を表示させるための上記ＲＧＢ信号等を出力し、ＣＲＴ３２に”ＮＧ”と表示させる。従って、調整作業員は設定データの書き込みが失敗したことを即座に、かつ容易に把握することができる。
【００５５】
さらに、本発明においてはＲＦ信号の搬送周波数別に機種毎の設定データが重畳されているので、機種毎に適正なチャンネルを選局する必要があり、この選局動作が自動化されていると便利である。図７は、かかる構成における動作を示す概略図であり、図８はかかる構成におけるフローチャートを示している。この実施形態では、ＲＦ信号に重畳される設定データには当該設定データがいずれの機種用のデータであるのかを特定するための機種データ（図７において機種Ａ，Ｎと示している）も含まれている。
【００５６】
また、テレビジョン１０２内のＥＥＰＲＯＭには当該テレビジョン１０２がいずれの機種であるかを示すデータが書き込まれている（図７においてテレビジョン１０２は機種Ｎである）。マイコン４０は、いわゆるチャンネルサーチを実施可能な構成であり、チャンネルサーチの実行によってＲＦ信号の周波数帯域で搬送周波数を逐次切り替えてスキャンし、同調可能な周波数を探っていく。さらに、マイコン４０は同調した搬送周波数において一旦ＲＦ信号から設定データを抽出し、設定データ内に記述された機種データとＥＥＰＲＯＭ６０に書き込まれた機種を示すデータとを比較し、両者が一致するまでチャンネルサーチを実行する。従って、チャンネルサーチによってテレビジョン１０２の機種Ｎ用の設定データが重畳されたＲＦ信号に自動で同調させることができる。
【００５７】
マイコン４０が実行するフローとしては、上記図５におけるフローに対しステップＳ１２０〜Ｓ１４０に該当する処理の替わりに図８に示すステップＳ２００〜Ｓ２４０を実施する。すなわち、ステップＳ１１０にて工場モードが実行されたと判別されると、ステップＳ２００にてオートチューニングをスタートし、マイコン４０はチューナ１０に対してチャンネルｎ（ｎは自然数）の搬送周波数での同調を行わせる（ステップＳ２１０）。尚、ここでｎの初期値は１である。
【００５８】
チャンネルｎへの同調が行われると、マイコン４０は上記Ａ／Ｄ変換回路２３が出力するデータをスライスし、設定データを抽出する（ステップＳ２２０）。ステップＳ２３０ではＥＥＰＲＯＭ６０を参照する。そして、上記設定データに記述された機種データとＥＥＰＲＯＭ６０に書き込まれた機種を示すデータを比較し（ステップＳ２４０）、同ステップＳ２４０にて両データが合致したと判別されるまで逐次チャンネル番号を変更してステップＳ２１０以降の処理を繰り返す。ステップＳ２４０にて両データが合致したと判別されるとステップＳ１５０にて設定データをＥＥＰＲＯＭ６０に書き込む。このように、本実施形態においては、調整作業員の操作によって工場モードをスタートした後には作業員自身のチャンネル選局操作は全く不要である。この態様においては、上記ＯＳＤ表示を実行する構成を付加するとさらに便利である。
【００５９】
このように、本発明においては、工場において機種別の設定データを異なるチャンネルのＲＦ信号に重畳させておき、テレビジョンにおいて当該ＲＦ信号を取得し、重畳された設定データをスライスする。そして、当該設定データをＥＥＰＲＯＭに書き込む。従って、コネクタの脱着を行うことなくテレビジョン調整前に設定データを登録することができる。
【図面の簡単な説明】
【図１】テレビジョンを出荷前に調整する様子を示す概略図である。
【図２】テレビジョン内部の概略構成を示したブロック図である。
【図３】クロマＩＣの構成を示すブロック図である。
【図４】ＲＦ信号の模式図をチャンネル別に示した図である。
【図５】設定データの書き込みに関する処理を示すフローチャートである。
【図６】他の実施形態における追加処理のフローチャートである。
【図７】他の実施形態における動作を示す概略図である。
【図８】他の実施形態における設定データの書き込みに関する処理を示すフローチャートである。
【符号の説明】
１００，１０１…テレビジョン
１１…アンテナ
１２…同軸ケーブル
２０…クロマＩＣ
２１…信号系回路
２２…同期系回路
２３…Ａ／Ｄ変換回路
３１…カソードアンプ
３２…ＣＲＴ
３３…オーディオアンプ
３４…スピーカ
３５…偏向回路
４０…マイコン
５０…リモコン
【図１】
0003591649.tif 000002
【図２】
0003591649.tif 000003
【図３】
0003591649.tif 000004
【図４】
0003591649.tif 000005
【図５】
0003591649.tif 000006
【図６】
0003591649.tif 000007
【図７】
0003591649.tif 000008
【図８】
0003591649.tif 000009